【手続補正書】
【提出日】平成22年10月1日(2010.10.1)
【手続補正１】
【補正対象書類名】特許請求の範囲
【補正対象項目名】請求項１
【補正方法】変更
【補正の内容】
【請求項１】
励磁コイルにより磁路を形成する筒状ヨークと、その円周面が多極に着磁され、前記ヨークの筒孔内に励磁によって回転可能に嵌挿された回転子と、螺刻軸部が形成された出力軸とを備え、前記回転子の中心軸孔に形成された螺刻部に前記螺刻軸部を螺合し、その回動に伴って出力軸を進退移動可能に構成せしめた直動型アクチュエータであって、
前記出力軸には、螺刻軸部の両側に螺刻形成のない前側のフロント軸部と後側のエンド軸部をそれぞれ延設させて、出力軸を、フロント軸部と、中央の螺刻軸部と、エンド軸部とに区割り形成せしめると共に、前記フロント軸部とエンド軸部をそれぞれ軸受部に案内支持して、フロント軸部がその軸受部から出没可能に構成し、
前記エンド軸部の軸受部と前記螺刻部間には、該螺刻部に隣設して前記エンド軸部と前記螺刻軸部が進退移動する後側ストローク域を形成する一方、
前記フロント軸部の軸受部と前記螺刻部間には、該螺刻部に隣設して前記螺刻軸部とフロント軸部とが進退移動する前側ストローク域を形成せしめて、
前記軸受部間に軸架された出力軸を、前記螺刻軸部が前記後側ストローク域と前側ストローク域を進退移動すべく構成したことを特徴とする直動アクチュエータ。
【手続補正２】
【補正対象書類名】明細書
【補正対象項目名】０００６
【補正方法】変更
【補正の内容】
【０００６】
上記課題を解決するために本発明が採用した技術手段は、励磁コイルにより磁路を形成する筒状ヨークと、その円周面が多極に着磁され、前記ヨークの筒孔内に励磁によって回転可能に嵌挿された回転子と、螺刻軸部が形成された出力軸とを備え、前記回転子の中心軸孔に形成された螺刻部に前記螺刻軸部を螺合し、その回動に伴って出力軸を進退移動可能に構成せしめた直動型アクチュエータであって、前記出力軸には、螺刻軸部の両側に螺刻形成のない前側のフロント軸部と後側のエンド軸部をそれぞれ延設させて、出力軸を、フロント軸部と、中央の螺刻軸部と、エンド軸部とに区割り形成せしめると共に、前記フロント軸部とエンド軸部をそれぞれ軸受部に案内支持して、フロント軸部がその軸受部から出没可能に構成し、前記エンド軸部の軸受部と前記螺刻部間には、該螺刻部に隣設して前記エンド軸部と前記螺刻軸部が進退移動する後側ストローク域を形成する一方、前記フロント軸部の軸受部と前記螺刻部間には、該螺刻部に隣設して前記螺刻軸部とフロント軸部とが進退移動する前側ストローク域を形成せしめて、前記軸受部間に軸架された出力軸を、前記螺刻軸部が前記後側ストローク域と前側ストローク域を進退移動すべく構成したことを特徴とするものである。
【手続補正３】
【補正対象書類名】明細書
【補正対象項目名】００１１
【補正方法】変更
【補正の内容】
【００１１】
前記エンド側部１２に設けられた軸受部材１２１には、その中心部に回り止めエンド軸部４２を案内支持する軸受部１２２が設けられている。軸受部１２２は、エンド軸部を、回り止めエンド軸部４２とした場合には、この回り止め形状に適合した軸孔形状のブッシュにより構成され、また、回り止めされないエンド軸部４２ａとした場合には、一般的な円軸孔形状のブッシュにより構成され、エンド軸部４２または４２ａが軸受部１２２から外部へ出没するようになっている。この軸受部１２２と螺刻部３１１との間には、エンド軸部４２または４２ａと螺刻軸部４１が進退移動するための後側ストローク域３１Ｓが、回転子３の内径空間と軸受部材１２１の立上り空間領域に割り当て形成されている。なお、胴部１１とは別体で成形したエンド側部１２と軸受部１２２を一体成形しても良く、エンド軸部４２または４２ａを軸受部１２２から外部へ出没するように構成したが、軸受部材１２１を、特許文献２のアクチュエータ構造に示す案内支持構成を適用して、外部に出没させることなく密封するようにしても良い。
【手続補正４】
【補正対象書類名】明細書
【補正対象項目名】００１２
【補正方法】変更
【補正の内容】
【００１２】
前記フロントキャップ１３に設けられた軸受部材１３１には、前記軸受部材１２１と同様に、その先端側にフロント軸部４３の形状に適合した軸孔形状のブッシュによれ構成される軸受部１３２が設けられており、この軸受部１３２と回転子３の領域に、回転子３から所定空間を存して螺刻部３１１に隣設した態様で、螺刻軸部４１とフロント軸部４３とが進退移動するための前側ストローク域１３Ｓが形成されている。つまり、軸受部材１３１は、フロント軸部４３を案内支持する軸受部１３２と、該軸受部１３２から延設されてフロント軸部４３の周面が接触しない筒状内径を形成する前側ストローク域１３Ｓとして割り当てられた領域とにより構成されている。この前側ストローク域１３Ｓを変更したい場合には、ストロークの異なる軸受部材１３１を数種用意しておけばよい。なお、特許文献２の如き流路に適用する場合には、フロントキャップ１３と軸受部材１３１を一体成形しておけば、密封性をより確実なものとできる。
【手続補正５】
【補正対象書類名】明細書
【補正対象項目名】００１４
【補正方法】変更
【補正の内容】
【００１４】
叙述の如く構成された本発明の実施例の形態において、いま、出力軸４は、回転子３の回転により螺刻部３１１の回転が、螺合された螺刻軸部４１に対して推力として伝達され、所定ストローク間を進退移動するのであるが、本発明における直動アクチュエータ１は、出力軸４の両側に螺刻形成のない前側のフロント軸部４３と後側のエンド軸部４２とをそれぞれ延設させて、出力軸４を、エンド軸部４２または４２ａと、中央の螺刻軸部４１と、フロント軸部４３とに区割り形成せしめると共に、エンド軸部４２または４２ａとフロント軸部４３をそれぞれ軸受部１２２と軸受部１３２に案内支持して、フロント軸部４３が軸受部１３２からその先端側が出没するよう構成し、エンド軸部４２または４２ａの軸受部１２２と螺刻部３１１間には、該螺刻部３１１に隣設して回転子３の内部空間と軸受部材１２１の立上り空間領域にエンド軸部４２または４２ａと螺刻軸部４１が進退移動する後側ストローク域３１Ｓを形成する一方、フロント軸部４３の軸受部１３２と螺刻部３１１間には、該螺刻部３１１に隣設して螺刻軸部４１とフロント軸部４３とが進退移動する前側ストローク域１３Ｓを形成せしめて、軸受部１２２と１３２間に軸架された出力軸４が、螺刻軸部４１が後側ストローク域３１Ｓと前側ストローク域１３Ｓを進退移動すべく構成されている。
【手続補正６】
【補正対象書類名】明細書
【補正対象項目名】００１５
【補正方法】変更
【補正の内容】
【００１５】
そのため、出力軸４の螺刻軸部４１が回転子３の螺刻部３１１先端から直接出没する構成のものでありながら、ケーシング１ａ内に駆動機構を構成する螺刻部３１１とベアリング軸支部を含めた回転子３全体や、螺刻軸部４１を移動可能に収容することが可能となり、出力軸４の何れの側においても確実かつ容易に密封構造を採用することができる。つまり、特許文献２に示された流路などに用いた場合でも、フロント軸部４３のシーリングは、グリスやオイル等のシール材によらず、一般的な軸受構造におけるｙパッキンなどによるシール構造を採用でき、流路内に導入されたガスの物性やガス内に混入した異物が隔壁内や胴部内に流入して、内部部材と反応し錆などを発生させるなどの悪影響を与えてしまう危惧や、シール材が異物として流路内のガスに同伴して本体製品に悪影響を与えてしまう危惧を解消若しくは一掃することができる。